【手続補正書】
【提出日】平成18年4月14日(2006.4.14)
【手続補正１】
【補正対象書類名】明細書
【補正対象項目名】発明の名称
【補正方法】変更
【補正の内容】
【発明の名称】端末装置、サーバ装置およびプログラム
【手続補正２】
【補正対象書類名】明細書
【補正対象項目名】特許請求の範囲
【補正方法】変更
【補正の内容】
【特許請求の範囲】
【請求項１】  曲データを指示する情報を複数含むリストをサーバ装置から受信して記憶するリスト記憶手段と、
操作者の操作に応じて、前記リスト中の各情報について選択または非選択を指示する操作手段と、
前記操作手段によって選択された情報に対応する曲データを要求する送信要求を前記サーバ装置に送信するとともに、複数の情報が選択されている場合はそれらについても前記送信要求を送信する送信要求手段と、
前記送信要求に対応して前記サーバ装置から配信された曲データを受信し、受信中の曲データを再生するとともに、複数の曲データを同時に受信しているときは、これらの曲データを同時に再生する再生手段と、
前記再生手段によって再生されている曲データに対応する情報が前記操作手段によって非選択となったときは当該曲データの送信中止を要求する送信中止要求を前記サーバ装置に送信する送信中止要求送信手段と
を具備することを特徴とする端末装置。
【請求項２】  曲データを記憶する曲データ記憶手段と、
前記曲データ記憶手段内に記憶された曲データを前記サーバ装置にアップロードするアップロード手段とを具備することを特徴とする請求項１記載の端末装置。
【請求項３】  前記リストを要求するためのリスト要求を前記サーバ装置に送信するリスト要求手段を具備することを特徴とする請求項１または２記載の端末装置。
【請求項４】  前記再生手段は、前記サーバ装置から曲データが繰り返し送信される場合は、当該曲データを受信する毎に繰り返し再生することを特徴とする請求項１から３いずれかに記載の端末装置。
【請求項５】  複数の曲データを記憶するとともに、前記各曲データを指示する情報を複数含むリストを記憶する記憶手段と、
前記情報を特定して曲データの送信を要求する曲データ要求を端末装置から受信すると当該曲データを前記記憶手段から読み出して前記端末装置に送信するとともに、同一の端末装置から複数の曲データ要求を受信した場合には、複数の曲データを同時に送信する曲データ送信手段と、
前記曲データ送信手段が送信中の曲データに対し、当該曲データの送信中止を要求する送信中止要求を端末から受け取った場合は、当該曲データの送信を中止する送信中止手段と
を具備することを特徴とするサーバ装置。
【請求項６】  前記曲データ送信手段は、曲データの送信に際し、当該曲データを均等分割したパケットを生成し、このパケットを前記端末装置に送信することを特徴とする請求項５記載のサーバ装置。
【請求項７】  前記曲データ送信手段は、複数の曲データを端末装置に送信する際は、これらの曲データを一つの曲データに合成して送信することを特徴とする請求項５または６記載のサーバ装置。
【請求項８】  前記曲データ送信手段は、曲データの送信中止を指示する送信中止要求を受信するまで、当該曲データについて繰り返し送信することを特徴とする請求項５から７いずれかに記載のサーバ装置。
【請求項９】  曲データおよび前記曲データを指示する情報を端末装置から受信した場合は、当該曲データを前記記憶手段に記憶させるとともに、当該情報を前記リストに加える更新手段を具備することを特徴とする請求項５から８いずれかに記載のサーバ装置。
【請求項１０】  コンピュータを、
曲データを指示する情報を複数含むリストをサーバ装置から受信して記憶するリスト記憶手段と、
操作者の操作に応じて、前記リスト中の各情報について選択または非選択を指示する操作手段と、
前記操作手段によって選択された情報に対応する曲データを要求する送信要求を前記サーバ装置に送信するとともに、複数の情報が選択されている場合はそれらについても前記送信要求を送信する送信要求手段と、
前記送信要求に対応して前記サーバ装置から配信された曲データを受信し、受信中の曲データを再生するとともに、複数の曲データを同時に受信しているときは、これらの曲データを同時に再生する再生手段と、
前記再生手段によって再生されている曲データに対応する情報が前記操作手段によって非選択となったときは当該曲データの送信中止を要求する送信中止要求を前記サーバ装置に送信する送信中止要求送信手段と
として機能させるプログラム。
【請求項１１】  コンピュータを、
複数の曲データを記憶するとともに、前記各曲データを指示する情報を複数含むリストを記憶する記憶手段と、
前記情報を特定して曲データの送信を要求する曲データ要求を端末装置から受信すると当該曲データを前記記憶手段から読み出して前記端末装置に送信するとともに、同一の端末装置から複数の曲データ要求を受信した場合には、複数の曲データを同時に送信する曲データ送信手段と、
前記曲データ送信手段が送信中の曲データに対し、当該曲データの送信中止を要求する送信中止要求を端末から受け取った場合は、当該曲データの送信を中止する送信中止手段として機能させるプログラム。
【手続補正３】
【補正対象書類名】明細書
【補正対象項目名】０００４
【補正方法】変更
【補正の内容】
【０００４】
そこで、本発明は、上述した事情に鑑みてなされたものであり、簡易かつ手軽にコラボレート曲を作成することができる端末装置、サーバ装置およびプログラムを提供することを目的としている。
【手続補正４】
【補正対象書類名】明細書
【補正対象項目名】０００５
【補正方法】変更
【補正の内容】
【０００５】
【課題を解決するための手段】
上述の課題を解決するため、請求項１に記載の発明にあっては、曲データを指示する情報を複数含むリストをサーバ装置から受信して記憶するリスト記憶手段と、
操作者の操作に応じて、前記リスト中の各情報について選択または非選択を指示する操作手段と、
前記操作手段によって選択された情報に対応する曲データを要求する送信要求を前記サーバ装置に送信するとともに、複数の情報が選択されている場合はそれらについても前記送信要求を送信する送信要求手段と、
前記送信要求に対応して前記サーバ装置から配信された曲データを受信し、受信中の曲データを再生するとともに、複数の曲データを同時に受信しているときは、これらの曲データを同時に再生する再生手段と、
前記再生手段によって再生されている曲データに対応する情報が前記操作手段によって非選択となったときは当該曲データの送信中止を要求する送信中止要求を前記サーバ装置に送信する送信中止要求送信手段と
を具備することを特徴とする。
【手続補正５】
【補正対象書類名】明細書
【補正対象項目名】０００６
【補正方法】変更
【補正の内容】
【０００６】
請求項２記載の発明にあっては、請求項１記載の発明において、曲データを記憶する曲データ記憶手段と、
前記曲データ記憶手段内に記憶された曲データを前記サーバ装置にアップロードするアップロード手段とを具備することを特徴とする。
【手続補正６】
【補正対象書類名】明細書
【補正対象項目名】０００７
【補正方法】変更
【補正の内容】
【０００７】
請求項３記載の発明にあっては、請求項１または２記載の端末装置において、前記リストを要求するためのリスト要求を前記サーバ装置に送信するリスト要求手段を具備することを特徴とする。
【手続補正７】
【補正対象書類名】明細書
【補正対象項目名】０００８
【補正方法】変更
【補正の内容】
【０００８】
請求項４記載の発明にあっては、請求項１から３いずれかに記載の端末装置において、前記再生手段は、前記サーバ装置から曲データが繰り返し送信される場合は、当該曲データを受信する毎に繰り返し再生することを特徴とする。
【手続補正８】
【補正対象書類名】明細書
【補正対象項目名】０００９
【補正方法】変更
【補正の内容】
【０００９】
請求項５記載の発明にあっては、複数の曲データを記憶するとともに、前記各曲データを指示する情報を複数含むリストを記憶する記憶手段と、
前記情報を特定して曲データの送信を要求する曲データ要求を端末装置から受信すると当該曲データを前記記憶手段から読み出して前記端末装置に送信するとともに、同一の端末装置から複数の曲データ要求を受信した場合には、複数の曲データを同時に送信する曲データ送信手段と、
前記曲データ送信手段が送信中の曲データに対し、当該曲データの送信中止を要求する送信中止要求を端末から受け取った場合は、当該曲データの送信を中止する送信中止手段と
を具備することを特徴とする。
【手続補正９】
【補正対象書類名】明細書
【補正対象項目名】００１０
【補正方法】変更
【補正の内容】
【００１０】
請求項６記載の発明にあっては請求項５記載のサーバ装置において、前記曲データ送信手段は、曲データの送信に際し、当該曲データを均等分割したパケットを生成し、このパケットを前記端末装置に送信することを特徴とする。
【手続補正１０】
【補正対象書類名】明細書
【補正対象項目名】００１１
【補正方法】変更
【補正の内容】
【００１１】
請求項７記載の発明にあっては、請求項５または６記載のサーバ装置において、前記曲データ送信手段は、複数の曲データを端末装置に送信する際は、これらの曲データを一つの曲データに合成して送信することを特徴とする。
【手続補正１１】
【補正対象書類名】明細書
【補正対象項目名】００１２
【補正方法】変更
【補正の内容】
【００１２】
請求項８記載の発明にあっては、請求項５から７いずれかに記載のサーバ装置において、前記曲データ送信手段は、曲データの送信中止を指示する送信中止要求を受信するまで、当該曲データについて繰り返し送信することを特徴とする。
【手続補正１２】
【補正対象書類名】明細書
【補正対象項目名】００１３
【補正方法】変更
【補正の内容】
【００１３】
請求項９記載の発明にあっては、請求項５から８いずれかに記載のサーバ装置において、曲データおよび前記曲データを指示する情報を端末装置から受信した場合は、当該曲データを前記記憶手段に記憶させるとともに、当該情報を前記リストに加える更新手段を具備することを特徴とする。
【手続補正１３】
【補正対象書類名】明細書
【補正対象項目名】００１４
【補正方法】変更
【補正の内容】
【００１４】
請求項１０記載のプログラムは、
コンピュータを、
曲データを指示する情報を複数含むリストをサーバ装置から受信して記憶するリスト記憶手段と、
操作者の操作に応じて、前記リスト中の各情報について選択または非選択を指示する操作手段と、
前記操作手段によって選択された情報に対応する曲データを要求する送信要求を前記サーバ装置に送信するとともに、複数の情報が選択されている場合はそれらについても前記送信要求を送信する送信要求手段と、
前記送信要求に対応して前記サーバ装置から配信された曲データを受信し、受信中の曲データを再生するとともに、複数の曲データを同時に受信しているときは、これらの曲データを同時に再生する再生手段と、
前記再生手段によって再生されている曲データに対応する情報が前記操作手段によって非選択となったときは当該曲データの送信中止を要求する送信中止要求を前記サーバ装置に送信する送信中止要求送信手段と
として機能させる。
また、請求項１１記載のプログラムは、
コンピュータを、
複数の曲データを記憶するとともに、前記各曲データを指示する情報を複数含むリストを記憶する記憶手段と、
前記情報を特定して曲データの送信を要求する曲データ要求を端末装置から受信すると当該曲データを前記記憶手段から読み出して前記端末装置に送信するとともに、同一の端末装置から複数の曲データ要求を受信した場合には、複数の曲データを同時に送信する曲データ送信手段と、
前記曲データ送信手段が送信中の曲データに対し、当該曲データの送信中止を要求する送信中止要求を端末から受け取った場合は、当該曲データの送信を中止する送信中止手段として機能させる。